(57)【要約】【課題】全体形状を他の形状に変化させて使用することができる装飾品を提供する。【解決手段】繋ぎ合わされた複数個の部品ピースＰ１〜Ｐ６と、これら部品ピースの１つに取り付けられた支持金具１０とを備え、上記各部品ピースには、全ピースが略平面状に並べられた展開状態で隣接する部品ピースどうしを互いに回動可能に連結する連結部Ｃと、該連結部を介して各部品ピースを裏面側に回動させて全ピースを組み合わせた組立状態で隣接する部品ピースどうしを互いに着脱可能に係止する係止部Ｋ，Ｈとが設けられている、ことを特徴とする。【選択図】　図１
2004073748.tif 000002
【特許請求の範囲】
【請求項１】
繋ぎ合わされた複数個の小片と、これら小片の１つに取り付けられた支持具とを備え、
上記各小片には、全小片が略平面状に並べられた展開状態で隣接する小片どうしを互いに回動可能に連結する連結部と、該連結部を介して上記各小片を裏面側に回動させて全小片を組み合わせた組立状態で隣接する小片どうしを互いに着脱可能に係止する係止部とが設けられている、
ことを特徴とする装飾品。
【請求項２】
上記支持具が取り付けられる小片の裏面側には、上記展開状態における外側縁部の近傍に、上記支持具を係止する係止溝が形成されており、該係止溝は、上記展開状態で使用されるべき第１溝部と、上記組立状態で使用されるべき第２溝部とを備えていることを特徴とする請求項１記載の装飾品。
【請求項３】
上記各小片の表面側には、宝飾物が取り付けられていることを特徴とする請求項１又は請求項２に記載の装飾品。
【請求項４】
上記小片は、６個を１組として繋ぎ合わされており、上記展開状態では正面視で略十字形を形成し、上記組立状態では略６面体を形成することを特徴とする請求項１〜請求項３の何れか一に記載の装飾品。
【発明の詳細な説明】
【０００１】
【発明の属する技術分野】
この発明は、装飾品、例えばペンダントなどのアクセサリー等として好適な装飾品に関する。
【０００２】
【従来の技術】
従来、例えばペンダント等の装身具などのアクセサリーの場合、通常、その全体形状は一定で不変に形成されている。そして、この一定形状のアクセサリーの一端部に支持金具を取り付け、この支持金具を介し例えば吊下げ支持するなどして、使用に供されている。
【０００３】
【発明が解決しようとする課題】
このようなアクセサリー等の装飾品について、その全体形状を他の形状に可逆的に変化させて使用することができれば、ユーザは、例えばその時々の嗜好や使用場所等に応じて、より好ましい方の形状を選んでアクセサリーとして身に付けることができるようになり、ユーザにとって非常に便利であり、また、その形状を変えること自体を楽しむこともできる。
【０００４】
そこで、この発明は、その全体形状を他の形状に変化させて使用することができる装飾品を提供することを目的としてなされたものである。
【０００５】
【課題を解決するための手段】
このため、本願発明に係る装飾品は、繋ぎ合わされた複数個の小片と、これら小片の１つに取り付けられた支持具とを備え、上記各小片には、全小片が略平面状に並べられた展開状態で隣接する小片どうしを互いに回動可能に連結する連結部と、該連結部を介して各小片を裏面側に回動させて全小片を組み合わせた組立状態で隣接する小片どうしを互いに着脱可能に係止する係止部とが設けられている、ことを特徴としたものである。
【０００６】
この場合において、上記支持具が取り付けられる小片の裏面側には、展開状態における外側縁部の近傍に、支持具を係止する係止溝が形成されており、該係止溝は、展開状態で使用されるべき第１溝部と、組立状態で使用されるべき第２溝部とを備えているようにしても良い。
【０００７】
また、以上の場合において、上記各小片の表面側には、宝飾物が取り付けられているようにしても良い。
【０００８】
更に、以上の場合において、具体的には、上記小片は６個を１組として繋ぎ合わされており、展開状態では正面視で略十字形を形成し、組立状態では略６面体を形成するようにしても良い。
【０００９】
【発明の実施の形態】
以下、本発明の実施の形態を、例えば装身具の一種であるペンダントに適用した場合を例に取って、添付図面を参照しながら詳細に説明する。
図１及び図２は、本実施の形態に係るペンダントを展開状態においてそれぞれ表側および裏側から見て示す斜視図である。また、図３及び図４は、それぞれ上記ペンダントの展開状態における正面説明図および背面説明図である。更に、図５は、上記ペンダントの展開状態における側面説明図で、その一部（上部）のみについて断面表示したものである。また更に、図６は、図３のＹ６−Ｙ６に沿った断面説明図である。
【００１０】
これらの図に示すように、本実施の形態に係るペンダントＷは、繋ぎ合わされた第１〜第６の６個の小片部品（部品ピース：以下、適宜、単にピースと略称する。）Ｐ１〜Ｐ６と、これら部品ピースＰ１〜Ｐ６のうちの一つ（第１ピースＰ１）に取り付けられた吊下げ支持用の支持金具１０と、を備えて構成されている。
上記各部品ピースＰ１〜Ｐ６は、好ましくは、例えばプラチナ等の金属材料で構成されており、図２，図５及び図６から良く分かるように、所定幅を有すると共に、側面視では大略台形状に形成されている。また、その台形の内部には裏側に向かって開口する空間部が形成されている。
【００１１】
そして、各部品ピースＰ１〜Ｐ６には、宝石等の宝飾物を表側から固定するための台座が形成されており、この台座に例えばサファイヤ等の多数の宝石が固定されている。中央部には、とりわけ大きい宝石Ｊが配置されている。尚、かかる宝石の代わりに、例えば真珠など、他の宝飾物を固定するようにしても良い。
【００１２】
また、上記各部品ピースＰ１〜Ｐ６は、正面視で６角形状（つまり、正方形の各角部を４５度の角度で切り落として得られる形状）に形成されている。そして、後述するようにして、これら全ての部品ピースＰ１〜Ｐ６の表面を実質的に同一平面上に位置させることにより、図１〜図５に示されるように、当該ペンダントＷの十字形の展開状態が得られる。
【００１３】
各部品ピースＰ１〜Ｐ６は、この展開状態で隣接するピースどうしが互いに回動可能に連結されている。すなわち、第２ピースＰ２と第１ピースＰ１，第３ピースＰ３，第５ピースＰ５及び第６ピースＰ６とがそれぞれ互いに回動可能に連結され、また、第３ピースＰ３と第４ピースＰ４とが互いに回動可能に連結されている。
【００１４】
これら連結された各部品ピースには、隣接する部品ピースと接する互いの周縁部（６角形状の一辺部：以下、適宜、隣接辺部と称する。）に、一対の凸状部を備えた受け部Ｃｒと、上記凸状部と嵌合する凹状部を両端に備えた軸部Ｃｓ（図４及び後述する図８参照）とでなる連結部Ｃが設けられている。
【００１５】
すなわち、展開状態で隣接する部品ピースどうしについて、何れか一方の隣接辺部に上記受け部Ｃｒが形成され、他方の隣接辺部に上記軸部Ｃｓが形成されており、図８に詳しく示されるように、この軸部Ｃｓを受け部Ｃｒに圧入し、その凹状部Ｃｗと凸状部Ｃｖとを嵌合させることにより、両ピースが連結される。そして、このように連結することにより、両ピースは、軸部Ｃｓの軸線を中心として互いに回動することができる。
【００１６】
本実施の形態では、より好ましくは、ペンダントＷの展開状態では、各部品ピースＰ１〜Ｐ６の隣接するピースの隣接辺部の側面どうしが実質的に当接することにより、各部品ピースＰ１〜Ｐ６は、表側にはそれ以上の回動動作ができないようになっている。従って、各部品ピースＰ１〜Ｐ６を、表側に向かってその限度まで回動させることにより、各部品ピースＰ１〜Ｐ６の各表面が実質的に同一平面上に位置し、容易に十字形の展開状態が得られるようになっている。
【００１７】
尚、このように、隣接する各部品ピースの隣接辺部の側面どうしが当接することによって表側への回動規制を行わせる替わりに、上記軸部Ｃｓと受け部Ｃｒとの嵌合締め代を大きく設定しておき、嵌め合い状態をきつくすることにより、展開時に各部品ピースＰ１〜Ｐ６の各表面を実質的に同一平面上に位置させた状態を維持し易くすることもできる。また、上記ピース間の連結部Ｃの具体的な構造としては、上記のような軸部Ｃｓと受け部Ｃｒとの組み合わせに限定されるものではなく、他の種々の公知の構造が適用可能であることは、言うまでもない。
【００１８】
また、上記各部品ピースＰ１〜Ｐ６には、図５及び図６に例示されるように、各連結部Ｃを介して各部品ピースＰ１〜Ｐ６を裏面側に回動させて全ピースＰ１〜Ｐ６を組み合わせた組立状態（図７及び図８参照）で隣接するピースどうしを互いに着脱可能に係止する係止部が設けられている。尚、上記図７はペンダントＷの組立状態を示す斜視図である。また、図８は、この組立状態におけるペンダントＷについて、一部のピースを取り外して示した部分断面説明図である。
【００１９】
具体的には、図２及び図４から良く分かるように、展開状態で４個の部品ピースＰ１，３，５及び６と隣接しこれら各ピースと連結された中心となる部品ピースＰ２（ベース・ピース）を除く他の全ての部品ピースについて、その裏側の斜面部分に、係止用の突起部Ｋ及び／又は係止穴Ｈが設けられている。すなわち、組立状態で隣接する部品ピースどうしについては、連結部Ｃにより元々連結されている組み合わせを除いて、このような突起部Ｋと係止穴Ｈにより相互に係止されるようになっている。
【００２０】
この突起部Ｋの外径寸法と係止穴Ｈの内径寸法とは、ペンダントＷを組立状態とする際には、一方のピースの突起部Ｋを隣接する他方のピースの係止穴Ｈに嵌合させることにより、両者Ｋ，Ｈが一定の締め代をもって嵌合して両ピースが相互に係止され、且つ、当該ペンダントＷの組立状態を解除し展開状態とする際には、両ピースに一定の軽い力を加えて離間せしめることにより、突起部Ｋが係止部Ｈから抜脱されて両ピースが無理なく分離するように、適切な値に設定されている。尚、このような係止構造としては、上記のような突起部Ｋと穴部Ｈの組み合わせに限定されるものではなく、他の種々の公知の構造が適用可能であることは、言うまでもない。
【００２１】
展開状態にあるペンダントＷを組立状態とする際には、第５ピースＰ５及び第６ピースＰ６の各突起部Ｋが、第１ピースＰ１，第３ピースＰ３及び第４ピースＰ４の各係止穴Ｈに嵌合することにより、第５ピースＰ５と第１，３及び第４ピースＰ１，３及び４とが相互に係止され、また、第６ピースＰ６と第１，３及び第４ピースＰ１，３及び４とが相互に係止される。
【００２２】
一方、図２及び図４から良く分かるように、吊下げ支持用の支持金具１０が取り付けられる第１ピースＰ１については、その裏側の斜面部分の一部が他のものに比して若干広く形成され、この拡大された斜面部に、つまり、当該第１ピースＰ１の展開状態での外側（上側）縁部の近傍に、上記支持金具１０を係止するための係止溝Ｇが形成されている。
支持金具１０は、略環状に形成された本体部１１と、この本体部１１に一端（上端）が支持された支持軸１２とを備え、該支持軸１２の他端部（下端部）には、好ましくは例えば球状に形成されたジョイント部１３が形成されている。
【００２３】
上記係止溝Ｇは、第１ピースＰ１の真上に向かって延びる第１溝部Ｇ１と、この第１溝部Ｇ１に対し略６０度の角度をなして斜めに延びる第２溝部Ｇ２とで構成され、この両溝部Ｇ１，Ｇ２の下部どうしが繋がれており、係止溝Ｇの全体形状としては、略Ｕ字形をなしている。
【００２４】
上記支持金具１０の支持軸１２の先端に形成されたジョイント部１３の直径寸法は、係止溝Ｇの溝幅よりも所定量だけ大きく設定されており、ジョイント部１３を係止溝Ｇ内に圧入することにより、該ジョイント部１３は係止溝Ｇ内に脱落することがないように保持される。そして、支持軸１２は、係止溝Ｇ内に移動可能に係止される。
【００２５】
上記第１溝部Ｇ１は、第１ピースＰ１の真上に向かって延びることにより、ペンダントＷの展開状態では十字形の真上方向に伸長することになる。従って、この展開状態においては、支持金具１０の支持軸１２がこの第１溝部Ｇ１内に位置した状態で、ペンダントＷが吊下げ支持される。これにより、図２及び図４において実線表示されているように、十字形のペンダントＷは、その縦軸が真っ直ぐ下方に垂下するように吊下げ支持される。つまり、これが傾くことにより、ユーザに違和感を及ぼすことが防止されている。
【００２６】
また、第２溝部Ｇ２は、第１溝部Ｇ１に対し略６０度の角度をなして斜めに延びることにより、図７から良く分かるように、ペンダントＷの組立状態では、第１，第４及び第６ピースＰ１，Ｐ４及びＰ６の各角部が突き合わされて形成される６面体の角部に向かって伸長することになる。但し、前述のように、各部品ピースＰ１〜Ｐ６は、その各角部が略４５度の角度で切り落とされて６角形をなしているので、６面体の各角部には間隙Ｓが形成されている。
【００２７】
このペンダントＷの組立状態において、支持金具１０の支持軸１２を第１溝部Ｇ１内に位置させたままで吊下げ支持しようとすると、支持軸１２が第４ピースＰ４の突起部Ｋと干渉することになる。
そこで、この組立状態においては、支持金具１０の支持軸１２を上記第２溝部Ｇ２内に位置させた状態で、ペンダントＷを吊下げ支持するようになっている。
【００２８】
これにより、図７において実線で示され、また、図４において破線表示されているように、展開状態での使用と組立状態での使用とで支持金具１０の係止位置を異ならせることができ、６面体状のペンダントＷは、支持軸１２が６面体角部の間隙Ｓから突き出た状態で吊下げ支持される。従って、支持軸１２の他の部品との干渉が確実に回避され、組立状態のペンダントＷを支障無く吊下げ支持することができるのである。
【００２９】
尚、この組立状態では、このように係止溝Ｇの第２溝部Ｇ２により上記支持軸１２が係止支持されており、空いた第１溝部Ｇ１には、第４ピースＰ４の突起部Ｋが嵌合し、第１ピースＰ１と第４ピースＰ４とが相互に係止されるようになっている。
【００３０】
以上、説明したように、本実施の形態に係るペンダントＷによれば、全部品ピースＰ１〜Ｐ６が略平面状に並べられた展開状態で使用する十字形の使用形状と、各部品ピースＰ１〜Ｐ６を裏面側に回動させて全部品ピースＰ１〜Ｐ６を略６面体状に組み合わせた組立状態で使用する使用形状との間で、ペンダントＷの全体形状を可逆的に変化させることができる。
【００３１】
従って、ユーザは、その時々の嗜好や使用場所等に応じて、より好ましい方の形状を選んで使用することができ、その形状が一定不変であった従来に比して非常に便利になり、また、このように形状を変えること自体を楽しむこともでき、ユーザの満足感をより高めることができるのである。更に、略６面体状の組立状態で内部に形成される空間部を有効に利用し、例えば錠剤等の薬剤や小物等を入れる容器として用いることも可能である。
【００３２】
尚、上記実施の形態は、ペンダントＷについてのものであったが、本発明は、ペンダントだけに限られるものではなく、他の種々の装身具，アクセサリー等を含む種々の装飾品に適用することができる。
例えば、サイズをより小さくしてイヤリング等に適用しても良く、或いは、サイズをより大きくして、室内等を飾る一種のオーナメント等の装飾品にも適用できる。また、組立状態で内部に形成される空間部を有効に利用し、サイズに応じて、例えば錠剤等の薬剤を入れる容器に、或いは小物等を入れる容器に、適用することも可能である。
【００３３】
また、形状についても、上記実施の形態における十字形と６面体に限られるものではない。例えば、展開形状が大略星形で組立形状が三角錐，四角錐あるいは五角錐などの錐体状をなすもの、更には、組立形状が三角柱，四角柱あるいは五角柱などの柱体状をなすもの等にも、適用可能である。この場合、形状によっては、展開状態での使用と組立状態での使用とで支持金具の係止位置の異動を不要とすることも可能である。
更に、部品ピースについても、宝石の台座をなすものに限定されることはなく、表面が磨かれた比較的厚みのあるステンレス材など、装飾性を有するよりシンプルなものを用いて、宝石等の宝飾物なしに使用に供するようにしても良い。
【００３４】
このように、本発明は、以上の実施態様に限定されるものではなく、その要旨を逸脱しない範囲において、種々の改良あるいは設計上の変更が可能であることは言うまでもない。
【００３５】
【発明の効果】
本願発明に係る装飾品によれば、繋ぎ合わされた複数個の小片は、連結部を介し裏面側に回動させて全小片を組み合わせた組立状態とすることができ、この組立状態では隣接する小片どうしが互いに着脱可能に係止される。すなわち、全小片が略平面状に並べられた展開状態で使用する使用形状と、各小片を裏面側に回動させて全小片を組み合わせた組立状態で使用する使用形状との間で、装飾品の全体形状を可逆的に変化させることができる。その結果、ユーザは、例えばその時々の嗜好や使用場所等に応じて、より好ましい方の形状を選んで使用することができ、その形状が一定不変であった従来に比して非常に便利になり、また、このように形状を変えること自体を楽しむこともでき、ユーザの満足感をより高めることができる。更に、組立状態で内部に形成される空間部を有効に利用し、例えば錠剤等の薬剤や小物等を入れる容器として用いることも可能である。
【００３６】
この場合において、装飾品の支持具が取り付けられる小片の裏面側には、上記展開状態における外側縁部の近傍に、上記支持具を係止する係止溝を形成し、該係止溝に、展開状態で使用されるべき第１溝部と、組立状態で使用されるべき第２溝部とを備えることにより、展開状態での使用と組立状態での使用とで支持具の係止位置を異ならせることができ、それぞれの使用形状に好適な支持状態を得ることができる。
【００３７】
また、以上の場合において、各小片の表面側に宝飾物を取り付けることにより、一層豪華な装飾品について、その全体形状を可逆的に変化させることができ、ユーザのその時々の嗜好や使用場所等に応じて、より好ましい方の形状を選んで使用することができるようになり、非常に便利でユーザの満足感をより高めることができる。
【００３８】
更に、以上の場合において、具体的には、上記小片を６個１組として繋ぎ合わせ、展開状態では正面視で略十字形を形成し、組立状態では略６面体を形成することにより、装飾品の全体形状を、正面視で略十字形と略６面体形状との間で可逆的に変化させることができ、これら両形状をその時々の嗜好や使用場所等に応じて択一的に選んで使用することができる。また、略６面体状の組立状態で内部に形成される空間部を有効に利用し、例えば錠剤等の薬剤や小物等を入れる容器として用いることもできる。
【図面の簡単な説明】
【図１】本発明の実施の形態に係るペンダントを展開状態において表側から見て示す斜視図である。
【図２】上記ペンダントを展開状態において裏側から見て示す斜視図である。
【図３】上記ペンダントの展開状態における正面説明図である。
【図４】上記ペンダントの展開状態における背面説明図である。
【図５】上記ペンダントの展開状態における側面説明図である。
【図６】図３のＹ６‐Ｙ６線に沿った断面説明図である。
【図７】上記ペンダントの組立状態を示す斜視図である。
【図８】上記組立状態におけるペンダントの部分断面説明図である。
【符号の説明】
１０…支持金具
１２…支持軸
１３…ジョイント部
Ｃ…連結部
Ｇ…係止溝
Ｇ１…第１溝部
Ｇ２…第２溝部
Ｈ…係止穴
Ｊ…宝石
Ｋ…突起部
Ｐ１，Ｐ２，Ｐ３，Ｐ４，Ｐ５，Ｐ６…部品ピース
Ｗ…ペンダント
【図１】
2004073748.tif 000003
【図２】
2004073748.tif 000004
【図３】
2004073748.tif 000005
【図４】
2004073748.tif 000006
【図５】
2004073748.tif 000007
【図６】
2004073748.tif 000008
【図７】
2004073748.tif 000009
【図８】
2004073748.tif 000010